(57)【要約】      （修正有）【課題】冷媒回路ユニットを小型化しつつ電磁弁（開閉弁や電子膨張弁など）に備えられた電磁コイルのメンテナンスを容易に行うことができる冷媒回路ユニットを提供する。【解決手段】冷媒配管３０、３１、３２と、電磁コイル４０１、４１１、４２１、４３１、４４１と弁本体とを備える複数の開閉弁と、本体ケース１０とが設けられた切替ユニット１であって、弁本体はシリンダ部を有し、電磁コイル４０１、４１１、４２１、４３１、４４１は冷媒配管３０、３１、３２が前記本体ケース１０から導出される方向とと平行に本体ケース１０の右側面１２から突出させたシリンダ部に取付けられている。【選択図】図２
2013117366.tif 000002
【特許請求の範囲】
【請求項１】
複数の冷媒配管と、電磁コイルと前記冷媒配管に接続される弁本体とを備える複数の電磁弁と、本体ケースとからなる冷媒回路ユニットであって、
前記弁本体はシリンダ部を有し、前記電磁コイルは前記冷媒配管が前記本体ケースから導出される方向と平行に前記本体ケースの一側面から突出させた前記シリンダ部に取り付けられることを特徴とする冷媒回路ユニット。
【請求項２】
前記本体ケースの一側面は、前記冷媒配管を配置する管配置面と、前記電磁コイルを配置する電磁コイル配置面とを備え、
前記電磁コイル配置面は、前記管配置面よりも上側の位置で凹んでいることを特徴とする請求項１記載の冷媒回路ユニット。
【請求項３】
前記冷媒配管は、室外機に接続される低圧ガス管および高圧ガス管と、室内機に接続されるガス管であって、
前記低圧ガス管および前記高圧ガス管は、前記本体ケースの下側に配置され、前記ガス管は、前記本体ケースの上側に配置され、
前記複数の電磁弁は、補助の電磁弁を備える下側電磁弁群と、主の電磁弁を備える上側電磁弁群とからなることを特徴とする請求項２記載の冷媒回路ユニット。
【請求項４】
前記上側電磁弁群の電磁弁に備える各々のシリンダ部は、前記本体ケースの前後方向に所定の間隔をもって配置され、
前記下側電磁弁群の電磁弁に備える各々のシリンダ部は、前記上側電磁弁群の電磁弁に備えるシリンダ部の間に配置されることを特徴とする請求項３記載の冷媒回路ユニット。
【請求項５】
前記本体ケースの一側面の上部には前記本体ケースを吊り下げる吊り金具を取付けるための取付面を備え、
前記取付面は前記本体ケースの前面と上面または背面と上面にそれぞれ連続形成または接続されていることを特徴とする請求項２乃至請求項４のいずれかに記載の冷媒回路ユニット。
【請求項６】
前記本体ケースの少なくとも上面の前記電磁コイルを覆う部分には、前記電磁コイルの熱を放熱するための放熱孔が形成されていることを特徴とする請求項５記載の冷媒回路ユニット。
【発明の詳細な説明】
【技術分野】
【０００１】
本発明は、冷媒回路ユニットに関する。
【背景技術】
【０００２】
従来から、多室形空気調和装置における１または複数の室外機と複数の室内機との間に設けられる冷媒回路ユニットが知られている。冷媒回路ユニットは、多室形空気調和装置の冷媒回路の一部を構成する冷媒配管や電磁弁などを組合せたユニットで、室外機に接続される冷媒配管を各室内機に接続される複数の冷媒配管に分岐する分岐ユニットや、室外機に接続される２つの冷媒配管の一方を選択して室内機に接続することで、室内機の運転を冷房運転または暖房運転に切替える切替ユニットなどがある。
【０００３】
このような冷媒回路ユニットには、冷媒配管と、電磁コイルを有し冷媒配管に接続される複数の電磁弁と、冷媒配管と電磁弁とを収容する本体ケースと、複数の電磁弁の開閉を制御する制御基板を収容する電装品箱とを備えている。電磁弁には、開閉弁や電子膨張弁などが用いられ、本体ケースの内部には、収容される冷媒配管と電磁弁に結露が生じないように発泡断熱材が充填されている。この種の冷媒回路ユニットの一例として、本体ケースの外側に電磁コイルと電装品箱とを配置し、電磁コイルと電装品箱の点検や交換などのメンテナンスを可能にした分岐ユニットがある（例えば、特許文献１参照）。
【０００４】
この分岐ユニットは、冷媒配管の一部が本体ケースの左側板と右側板から露出され、複数の電磁弁が冷媒配管の露出方向である本体ケースの左右方向に一列に配置されており、これらの電磁弁は本体ケースの上下方向に立設されている。複数の電磁弁に有する各々の電磁コイルが、本体ケースの上面から露出し本体ケースの上面方向に突出されており、蓋により覆われるようになっている。また、電装品箱が、本体ケースの前面に取付けられている。
【０００５】
このように構成された分岐ユニットは、電磁コイルと電装品箱のメンテナンスを行うことができる反面、複数の電磁弁（開閉弁や電子膨張弁など）が本体ケースの左右方向に一列に配置されるとともに本体ケースの上下方向に立設され、かつ、複数の電磁コイルが本体ケースの上面方向に突出されているため、分岐ユニットが左右方向および上下方向に大きくなるという問題点があった。また、分岐ユニットは、複数の電磁コイルが本体ケースの上面方向に突出されているため、分岐ユニットと建物の天井裏や床下などのスラブ（据付対象物）との間に、電磁コイルを取り外して交換するスペースが必要であり、分岐ユニットの据付スペースが制限されるという問題点があった。そして、分岐ユニットは、複数の電磁コイルが露出する本体ケースの上面を覆わないように、電装品箱が本体ケースの前面に取付けられているため、分岐ユニットの建物への据付自由度に制限がある。
【先行技術文献】
【特許文献】
【０００６】
【特許文献１】特開２００４−２８６２８８号公報
【発明の概要】
【発明が解決しようとする課題】
【０００７】
本発明は上記問題点に鑑み、冷媒回路ユニットを小型化しつつ電磁弁に備えられた電磁コイルのメンテナンスを容易に行うことができる冷媒回路ユニットを提供することを目的とする。
【課題を解決するための手段】
【０００８】
上記課題を解決するため、本発明の冷媒回路ユニットは、複数の冷媒配管と、電磁コイルと冷媒配管に接続される弁本体とを備える複数の電磁弁と、本体ケースとが設けられている。この冷媒回路ユニットに設けられている電磁弁に備えられた弁本体はシリンダ部を有し、電磁コイルは冷媒配管が本体ケースから導出される方向と平行に本体ケースの一側面（左側面または右側面）から突出させたシリンダ部に取付けられている。
【発明の効果】
【０００９】
本発明の冷媒回路ユニットによれば、電磁弁に備えられた弁本体はシリンダ部を有し、電磁コイルは冷媒配管が本体ケースから導出される方向と平行に本体ケースの一側面（左側面または右側面）から突出させたシリンダ部に取付けられているため、冷媒回路ユニットを本体ケースの左右方向および上下方向に小型化することができるとともに、電磁コイルの点検や交換などのメンテナンスを容易に行うことができる。また、電磁コイルは冷媒配管が本体ケースから導出される方向と平行に本体ケースの一側面（左側面または右側面）から突出させたシリンダ部に取付けられているため、電装品箱を本体ケースの一側面（左側面または右側面）を除いた他の側面（前面、背面または上面）のいずれかに取付け可能になり、冷媒回路ユニットの据付自由度を向上することができる。
【図面の簡単な説明】
【００１０】
【図１】本発明による冷媒回路ユニットを示す外観斜視図である。
【図２】冷媒回路ユニットの電磁コイルを覆う右側板を取外した状態を示す斜視図である。
【図３】冷媒回路ユニットの本体ケースの内部と電磁コイルの周囲を示す外観図である。
【図４】図３に示す外観図から構成を部分的に省略した説明図で、（ａ）は電磁コイルを省略した外観図、（ｂ）は上側開閉弁群を省略した外観図である。
【図５】多室形空気調和装置の冷媒回路のうち、冷媒回路ユニットに対応する部分を示す冷媒回路図である。
【図６】冷媒回路ユニットの電装品箱を本体ケースの背面に取付けた状態を示す斜視図である。
【図７】冷媒回路ユニットの電装品箱を本体ケースの上面に取付けた状態を示す斜視図である。
【図８】冷媒回路ユニットを天井裏に据付けた状態を示す説明図である。
【図９】冷媒回路ユニットの電磁コイルを覆う右側板を取外した状態を示す斜視図で、（ａ）は電装品箱を省略した斜視図、（ｂ）は（ａ）の部分拡大斜視図である。
【発明を実施するための形態】
【００１１】
以下、本発明の実施形態を添付図面に基づき詳細に説明する。冷媒回路ユニットとして、１または複数の室外機と複数の室内機とが接続され、室内機毎に冷房運転と暖房運転とを選択できる、所謂冷暖房フリーの運転が行える多室形空気調和装置に用いられる切替ユニットを例に挙げて説明する。この切替ユニットは、室外機と室内機との間に設けられ、室外機に接続される２つの冷媒配管の一方を選択して室内機に接続することで、室内機の運転を冷房運転または暖房運転に切替えるものである。
【００１２】
本実施形態における多室形空気調和装置の切替ユニット１は、１または複数の室外機と複数の室内機とが、高圧ガス管と低圧ガス管と液管とからなる３つの冷媒配管により接続された多室形空気調和装置に用いられ、室外機と室内機との間の高圧ガス管と低圧ガス管に室内機毎に接続される。なお、液管は切替ユニット１から離され、独自に室外機と室内機との間に室内機毎に接続される。切替ユニット１は、図１乃至図３に示すように、板金製で箱状の本体ケース１０を有し、本体ケース１０に設けられた吊り金具２０を建物に設けられた吊りボルトに固定することで、各室内機の近傍の天井裏や床下などのスラブ（据付対象物）に据付けられる。
【００１３】
本体ケース１０の室内機側の左側面１１（他側面）には、室内機から延びるガス管に接続されるガス接続管３０が導出されている。本体ケース１０の室外機側の右側面１２（一側面）には、室外機から延びる高圧ガス管と低圧ガス管とにそれぞれ接続される高圧ガス接続管３１と低圧ガス接続管３２が導出されている。ガス接続管３０は、本体ケース１０の上側に配置され、高圧ガス接続管３１と低圧ガス接続管３２は、本体ケース１０の下側に配置されている。ガス接続管３０と高圧ガス接続管３１と低圧ガス接続管３２のそれぞれの管軸は、本体ケース１０の左右方向に延びている。ガス接続管３０と高圧ガス接続管３１と低圧ガス接続管３２のそれぞれは、室内機と室外機との間に接続される冷媒配管の一部を構成している。
【００１４】
本体ケース１０の内部には、後述する上側開閉弁群Ｖ１（上側電磁弁群）に備えられた複数の電磁コイル４０１、４１１、４２１、後述する下側開閉弁群Ｖ２（下側電磁弁群）に備えられた複数の電磁コイル４３１、４４１、ガス接続管３０、高圧ガス接続管３１、低圧ガス接続管３２などに結露が生じて、その結露水の処理を不要にするため、図示しない発泡断熱材が充填されている。本体ケース１０の右側面１２には、本体ケース１０から取外し可能な右側板１３が設けられており、右側板１３を取外すことにより、複数の電磁コイル４０１、４１１、４２１、４３１、４４１が露出し、これらの電磁コイル４０１、４１１、４２１、４３１、４４１の点検や交換などのメンテナンスが可能になっている。また、図２に示すように、本体ケース１０の右側面１２は、高圧ガス接続管３１と低圧ガス接続管３２とを配置する管配置面１２ａと、電磁コイル４０１、４１１、４２１、４３１、４４１を配置する電磁コイル配置面１２ｂとを備えている。電磁コイル配置面１２ｂは、高圧ガス接続管３１と低圧ガス接続管３２を配置する管配置面１２ａよりも上側の位置において、管配置面１２ａから折り曲げられ内側に凹むように形成されている。この本体ケース１０の電磁コイル配置面１２ｂから複数の電磁コイル４０１、４１１、４２１、４３１、４４１が露出されている。電磁コイル４０１、４１１、４２１、４３１、４４１が管配置面１２ａよりも内側に凹ませた電磁コイル配置面１２ｂに配置されるため、電磁コイル４０１、４１１、４２１、４３１、４４１のメンテナンスを行わないときは、図１に示すように、複数の電磁コイル４０１、４１１、４２１、４３１、４４１を右側板１３により覆い、本体ケース１０の右側面１２が管配置面１２ａに揃うようにしている。なお、本体ケース１０が天井裏や床下などに設置されるので、複数の電磁コイル４０１、４１１、４２１、４３１、４４１を右側板１３により覆うことで、複数の電磁コイル４０１、４１１、４２１、４３１、４４１を外気や埃などから保護するようにしている。
【００１５】
このように、本体ケース１０の右側面１２を内側に凹ませた電磁コイル配置面１２ｂから複数の電磁コイル４０１、４１１、４２１、４３１、４４１を露出することで、本体ケース１０の左右方向から複数の電磁コイル４０１、４１１、４２１、４３１、４４１の点検や交換を行うことができる。また、本体ケース１０の右側面１２に管配置面１２ａから折り曲げられ内側に凹ませた電磁コイル配置面１２ｂを形成することで、本体ケース１０の右側面１２を凹ませずに平面に形成するよりも高圧ガス接続管３１と低圧ガス接続管３２の本体ケース１０に対する支持強度が得られ、かつ、発泡断熱材が本体ケース１０の管配置面１２ａの内側まで充填されて、複数の電磁コイル４０１、４１１、４２１、４３１、４４１が高圧ガス接続管３１または低圧ガス接続管３２との間で断熱されるため、複数の電磁コイル４０１、４１１、４２１、４３１、４４１に結露が発生しない。なお、本発明はこれに限らず、複数の電磁コイル４０１、４１１、４２１、４３１、４４１の保護、高圧ガス接続管３１と低圧ガス接続管３２の本体ケース１０に対する支持強度や、複数の電磁コイル４０１、４１１、４２１、４３１、４４１の結露発生を考慮しなれば、電磁コイル配置面１２ｂの形成により凹ませずに右側面１２を形成してもよい。この場合には、本体ケース１０の右側面１２を折り曲げなくて済み、シンプルに形成することができる。
【００１６】
本体ケース１０の内部には、図２乃至図５に示すように、ガス接続管３０、高圧ガス接続管３１、低圧ガス接続管３２、上側開閉弁群Ｖ１および下側開閉弁群Ｖ２などが部分的に収容されている。本体ケース１０の内部において、ガス接続管３０は、上側開閉弁群Ｖ１および下側開閉弁群Ｖ２を介して高圧ガス接続管３１および低圧ガス接続管３２と接続されている。図５に示すように、ガス接続管３０と高圧ガス接続管３１との間に、上側開閉弁群Ｖ１を構成する後述の開閉弁４０と下側開閉弁群Ｖ２を構成する後述の開閉弁４３とが並列に接続されている。また、ガス接続管３０と低圧ガス接続管３２との間に、上側開閉弁群Ｖ１を構成する後述の開閉弁４１、４２と下側開閉弁群Ｖ２を構成する後述の開閉弁４４とが並列に接続されている。なお、開閉弁４０、４１、４２は、接続される室内機の種類や用途などによって電子膨張弁などの電磁弁が接続されていてもよい。
【００１７】
上側開閉弁群Ｖ１は、本体ケース１０の上側に配置される複数の開閉弁４０、４１、４２から構成され、開閉弁４０が室内機を暖房運転に切替え、開閉弁４１、４２が室内機を冷房運転に切替えるようになっている。室内機を暖房運転に切替える場合、開閉弁４０を開いて開閉弁４１、４２を閉じ、室内機を冷房運転に切替える場合、開閉弁４１、４２を開いて開閉弁４０を閉じる。開閉弁４０、４１、４２は室内機の運転を切替える用途で主の電磁弁として動作する。図５に示すように、開閉弁４０は、ガス接続管３０と高圧ガス接続管３１の間に接続されており、開閉弁４１、４２は、ガス接続管３０と低圧ガス接続管３２がそれぞれ分岐される分岐管に接続されている。ガス接続管３０と低圧ガス接続管３２をそれぞれ分岐管で分岐することにより、ガス接続管３０から低圧ガス接続管３２に流れる冷媒の流量を、分岐管で冷媒を分流することで流量を少なくし冷媒の圧力を減圧することができる。この結果、室内機の冷房運転の際の冷媒音を低減している。それぞれの開閉弁４０、４１、４２には、弁本体４００、４１０、４２０と、電磁コイル４０１、４１１、４２１とを備えている。
【００１８】
それぞれの弁本体４００、４１０、４２０は、本体ケース１０の電磁コイル配置面１２ｂに沿うように本体ケース１０の内部に配置され、図４に示すように、弁の開閉を駆動するシリンダ部４０２、４１２、４２２と、一方の接続部４０３、４１３、４２３と、他方の接続部４０４、４１４、４２４とを備えている。弁本体４００は、一方の接続部４０３が本体ケース１０の左方向に延びて高圧ガス管３１に接続され、他方の接続部４０４が本体ケース１０の下方向に延びてガス管３０に接続されており、弁本体４１０、４２０は、一方の接続部４１３、４２３が本体ケース１０の左方向に延びてガス管３０に接続され、他方の接続部４１４、４２４が本体ケース１０の下方向に延びて低圧ガス管３２に接続されている。弁本体４２０は、他方の接続部４２４が鉛直に延びる縦接続管３２０を介して水平に延びる低圧ガス管３２に接続されている。それぞれのシリンダ部４０２、４１２、４２２は、本体ケース１０の左右方向に延びるガス接続管３０、高圧ガス接続管３１および低圧ガス接続管３２の管軸に対して平行になるように設けられ、本体ケース１０の電磁コイル配置面１２ｂに形成された図示しない孔から突出されている。
【００１９】
それぞれの電磁コイル４０１、４１１、４２１は、図２および図３に示すように、シリンダ部４０２、４１２、４２２に挿入するための図示しない孔を備えており、シリンダ部４０２、４１２、４２２に挿入されることで弁本体４００、４１０、４２０に取付けられている。したがって、それぞれの電磁コイル４０１、４１１、４２１に備えられた孔の方向は、シリンダ部４０２、４１２、４２２と同様に、ガス接続管３０、高圧ガス接続管３１および低圧ガス接続管３２の管軸に対して平行になるように設けられ、それぞれの電磁コイル４０１、４１１、４２１は、本体ケース１０の電磁コイル配置面１２ｂから露出されている。
【００２０】
下側開閉弁群Ｖ２は、上側開閉弁群Ｖ１よりも下側であって高圧ガス接続管３１および低圧ガス接続管３２よりも上側に配置される複数の開閉弁４３、４４から構成され、開閉弁４３と開閉弁４４とは、図５に示すように、直列に接続されており、開閉弁４３が高圧ガス接続管３１に接続され、開閉弁４４が低圧ガス接続管３２に接続されている。開閉弁４３には、室内機の運転を切替える場合に、高圧ガス接続管３１と低圧ガス接続管３２との間の冷媒の圧力を均圧にするための手段であるキャピラリーチューブ４５が並列に接続されている。開閉弁４３と開閉弁４４との接続点には、室内機の運転を切替える場合に、高圧ガス接続管３１と低圧ガス接続管３２との間の冷媒の圧力を均圧にするための手段であるキャピラリーチューブ４６が接続されており、このキャピラリーチューブ４６がガス接続管３０に接続されている。開閉弁４３、４４は室内機の運転の際に冷媒の圧力を均圧にする用途で補助の電磁弁として動作する。それぞれの開閉弁４３、４４には、弁本体４３０、４４０と、電磁コイル４３１、４４１とを備えている。
【００２１】
それぞれの弁本体４３０、４４０は、本体ケース１０の電磁コイル配置面１２ｂに沿うように本体ケース１０の内部に配置され、図４に示すように、弁の開閉を駆動するシリンダ部４３２、４４２と、一方の接続部４３３、４４３と、他方の接続部４３４、４４４とを備えている。弁本体４３０は、一方の接続部４３３が本体ケース１０の上方向に延びて高圧ガス管３１に接続され、他方の接続部４３４が本体ケース１０の左方向に延びてガス管３０に接続されており、弁本体４４０は、一方の接続部４４３が本体ケース１０の上方向に延びてガス管３０に接続され、他方の接続部４４４が本体ケース１０の左方向に延びて低圧ガス管３２に接続されている。それぞれのシリンダ部４３２、４４２は、本体ケース１０の左右方向に延びるガス接続管３０、高圧ガス接続管３１および低圧ガス接続管３２の管軸に対して平行になるように設けられ、本体ケース１０の電磁コイル配置面１２ｂに形成された図示しない孔から突出されている。
【００２２】
それぞれの電磁コイル４３１、４４１は、図２および図３に示すように、シリンダ部４３２、４４２に挿入するための図示しない孔を備えており、シリンダ部４３２、４４２に挿入されることで弁本体４３０、４４０に取付けられている。したがって、それぞれの電磁コイル４３１、４４１に備えられた孔の方向は、シリンダ部４３２、４４２と同様に、ガス接続管３０、高圧ガス接続管３１および低圧ガス接続管３２の管軸に対して平行になるように設けられ、それぞれの電磁コイル４３１、４４１は、本体ケース１０の電磁コイル配置面１２ｂから露出されている。
【００２３】
上側開閉弁群Ｖ１を構成する主の開閉弁４０、４１、４２および下側開閉弁群Ｖ２を構成する補助の開閉弁４３、４４は、図３および図４に示すように、それぞれの弁本体４００、４１０、４２０、４３０、４４０に備えた全てのシリンダ部４０２、４１２、４２２、４３２、４４２が本体ケース１０の電磁コイル配置面１２ｂから突出するように配置されている。そして、突出したシリンダ部４０２、４１２、４２２、４３２、４４２に取付けられる電磁コイル４０１、４１１、４２１、４３１、４４１のそれぞれの側面が揃うように、それぞれのシリンダ部４０２、４１２、４２２、４３２、４４２が、本体ケース１０の前後方向に所定の間隔をもって配置されている。
【００２４】
また、開閉弁４３、４４は、冷媒の圧力を均圧にするためのキャピラリーチューブ４５、４６に接続されることから、キャピラリーチューブ４５、４６に使用される径の小さな配管に合わせて、弁本体４３０、４４０の一方の接続部４３３、４４３および他方の接続部４３４、４４４の径がそれぞれ小さいものでよい。この結果、開閉弁４３、４４における弁本体４３０、４４０の一方の接続部４３３、４４３および他方の接続部４３４、４４４のそれぞれの径は、開閉弁４０、４１、４２における弁本体４００、４１０、４２０の一方の接続部４０３、４１３、４２３および他方の接続部４０４、４１４、４２４のそれぞれの径よりも小さいため、開閉弁４０、４１、４２と、高圧ガス接続管３１および低圧ガス接続管３２との間のスペースに開閉弁４３、４４を配置することができる。そして、開閉弁４３、４４における弁本体４３０、４４０の一方の接続部４３３、４４３はそれぞれ、開閉弁４０、４１、４２における弁本体４００、４１０、４２０の他方の接続部４０４、４１４、４２４のそれぞれの間に挟まれるように配置することができる。この結果、下側開閉弁群Ｖ２の開閉弁４３、４４に備えるシリンダ部４３２、４４２は、上側開閉弁群Ｖ１の開閉弁４０、４１、４２に備えるシリンダ部４０２、４１２、４２２の間に配置することができる。以上のように上側開閉弁群Ｖ１および下側開閉弁群Ｖ２を配置すると、本体ケース１０の大きさは、開閉弁４０、４１、４２に備える電磁コイル４０１、４１１、４２１が並ぶ前後方向の寸法と、開閉弁４２に備える弁本体４２０から低圧ガス接続管３２までの上下方向の寸法におさめられる。従って、本体ケース１０の前後方向および上下方向の小型化を図ることができる。
【００２５】
以上説明してきた本体ケース１０は天井裏や床下などに設置されるので、ガス接続管３０、高圧ガス接続管３１、低圧ガス接続管３２、複数の開閉弁４０、４１、４２、４３、４４などが部分的に収容された本体ケース１０の内部に発泡断熱材が充填されている。電磁コイル４０１、４１１、４２１、４３１、４４１も発泡断熱材で充填させる方がよいが、収容される部品と比べて壊れる可能性が高いため、電磁コイル４０１、４１１、４２１、４３１、４４１のみを本体ケース１０の電磁コイル配置面１２ｂから露出させ、メンテナンスを行えるようにしている。
【００２６】
本体ケース１０の前面１４には、図１および図２に示すように、複数の開閉弁４０、４１、４２、４３、４４の開閉を制御する図示しない制御基板を収容する電装品箱５０が配置されている。なお、本発明はこれに限らず、電装品箱５０が本体ケース１０から離れた位置に配置されてもよい。電装品箱５０には、板金製でそれぞれコ字形状に形成された電装品箱取付板５１と電装品箱カバー５２とを備えている。電装品箱取付板５１は、一方の側面が本体ケース１０の前面１４に図示しないネジで取付けられるとともに、他方の側面に図示しない制御基板が搭載されている。電装品箱取付板５１に搭載される制御基板の電気回路と、複数の電磁コイル４０１、４１１、４２１、４３１、４４１とは、図３に示すリード線４２１ａ、４４１ａ（図示されているリード線のみ符号を付与）で電気的に接続されている。電装品箱カバー５２は、制御基板を覆うように電装品箱取付板５１にネジで取付けられている。電装品箱カバー５２は、電装品箱取付板５１から取外し可能になっており、制御基板の点検や交換ができるようになっている。
【００２７】
次に、図６を用いて、電装品箱５０を本体ケース１０の背面１５に取付けた状態について説明する。図６に示すように、本体ケース１０の背面１５には、電装品箱５０が配置されている。電装品箱５０は、図１に示す本体ケース１０の前面１４に配置された状態から上下を反転させた状態で、本体ケース１０の背面１５に図示しないネジで取付けられている。例えば、吊り金具２０を用いて切替ユニット１を天井裏のスラブに据付ける際、本体ケース１０の前面１４または本体ケース１０の背面１５を選択し、本体ケース１０に電装品箱５０を配置することができる。
【００２８】
次に、図７を用いて、電装品箱５０を本体ケース１０の上面１６に取付けた状態ついて説明する。図７に示すように、本体ケース１０の上面１６には、電装品箱５０が配置されている。電装品箱５０は、図１に示す本体ケース１０に設けられた吊り金具２０を本体ケース１０の前面１４に沿うように取付けた状態で、本体ケース１０の上面１６に図示しないネジで取付けられている。この結果、例えば、吊り金具２０を壁掛け金具として利用でき、壁掛け金具を用いて切替ユニット１を建物の壁に据付ける際、本体ケース１０の上面１６を選択し、本体ケース１０に電装品箱５０を配置することができる。
【００２９】
このように、電装品箱５０は、ガス接続管３０、高圧ガス接続管３１、低圧ガス接続管３２、複数の電磁コイル４０１、４１１、４２１、４３１、４４１が露出しない本体ケース１０の前面１４、背面１５、上面１６のいずれかの側面に選択的に取付け可能になっている。従って、本実施形態による多室形空気調和装置の切替ユニット１では、天井裏、床下、壁などの各種の据付場所を選択したり、ガス接続管３０と、高圧ガス接続管３１および低圧ガス接続管３２とを左右で反転して置換えたりすることができるため、切替ユニット１の据付自由度を向上することができる。
【００３０】
以上説明してきた本発明の切替ユニット１によれば、ガス接続管３０、高圧ガス接続管３１および低圧ガス接続管３２と、電磁コイル４０１、４１１、４２１、４３１、４４１と弁本体４００、４１０、４２０、４３０、４４０とを備える複数の開閉弁４０、４１、４２、４３、４４と、本体ケース１０とが設けられている。
【００３１】
弁本体４００、４１０、４２０、４３０、４４０は、シリンダ部４０２、４１２、４２２、４３２、４４２を有し、電磁コイル４０１、４１１、４２１、４３１、４４１は、高圧ガス接続管３１および低圧ガス接続管３２が本体ケース１０から導出される方向と平行に本体ケース１０の電磁コイル配置面１２ｂから突出させたシリンダ部４０２、４１２、４２２、４３２、４４２に取付けられている。
【００３２】
この結果、本発明の切替ユニット１では、背景技術に示すように、複数の電磁弁が本体ケースの左右方向に一列に並び、本体ケースの上下方向に立設し、かつ、複数の電磁コイルが本体ケースの上面方向に突出するように配置されていないため、図８に示すように、本体ユニット１０の左右方向の寸法Ａと上下方向の寸法Ｂを小さくすることができ、切替ユニット１を本体ケース１０の左右方向および上下方向に小型化することができる。また、本発明の切替ユニット１では、室内機の冷房運転の際の冷媒音を低減する用途に、本体ケース１０の内部に開閉弁を増設する場合にも、上側開閉弁群Ｖ１として本体ケース１０の前後方向に大きくなるだけであり、本体ケース１０の左右方向および上下方向の大きさを維持することができる。
【００３３】
また、本発明の切替ユニット１では、背景技術に示すように、複数の電磁コイルが本体ケースの上面方向に突出していないため、本体ケース１０の管配置面１２ａから導出される高圧ガス接続管３１および低圧ガス接続管３２の向きである本体ケース１０の左右方向から、本体ケース１０の電磁コイル配置面１２ｂより露出されている複数の電磁コイル４０１、４１１、４２１、４３１、４４１の点検や交換などのメンテナンスを容易に行うことができる。さらに、本発明の切替ユニット１では、背景技術に示すように、複数の電磁コイルが本体ケースの上面方向に突出していないため、図８に示すように、切替ユニット１と建物の天井裏のスラブＳとの間に、電磁コイルの交換スペースが不要になり、従来よりも狭い据付スペースであっても切替ユニット１を設置することができる。
【００３４】
さらに、以上説明してきた本発明の切替ユニット１によれば、ガス接続管３０は、本体ケース１０の上側に配置され、高圧ガス接続管３１および低圧ガス接続管３２は、本体ケース１０の上側に配置されている。複数の開閉弁４０、４１、４２、４３、４４は、主の開閉弁４０、４１、４２として動作する上側開閉弁群Ｖ１と、補助の開閉弁４３、４４として動作する下側開閉弁群Ｖ２とからなっている。
【００３５】
上側開閉弁群Ｖ１を構成する開閉弁４０、４１、４２に備える各々のシリンダ部４０２、４１２、４２２は、本体ケース１０の前後方向に所定の間隔をもって配置され、下側開閉弁群Ｖ２を構成する開閉弁４３、４４に備える各々のシリンダ部４３２、４４２は、上側開閉弁群Ｖ１を構成する開閉弁４０、４１、４２に備えるシリンダ部４０２、４１２、４２２の間に配置されている。
【００３６】
この結果、本発明の切替ユニット１では、複数のシリンダ部４０２、４１２、４２２、４３２、４４２が上側開閉弁群Ｖ１と下側開閉弁群Ｖ２にそれぞれ分けて配置され、下側開閉弁群Ｖ２の各々のシリンダ部４３２、４４２が、上側開閉弁群Ｖ１の各々のシリンダ部４０２、４１２、４２２の間に配置されていることから、本体ケース１０の左右方向および上下方向の小型化に加え、本体ケース１０の前後方向にも小型化することができる。
【００３７】
次に、他の実施例による本体ケース１０に設けられた吊り金具２０の取付構造について図９を用いて説明する。なお、これまで説明してきた共通する構成については説明を省略する。吊り金具２０は、本体ケース１０の左側面１１と右側面１２に取付けられているので、本体ケース１０の前面１４、背面１５、上面１６のいずれかの面に取付けられる電装品箱５０と干渉しないようになっている。本体ケース１０の左側面１１に取付けられている吊り金具２０は、ガス接続管３０よりも上部に取付けられている。本体ケース１０の右側面１２（一側面）は、上部には本体ケース１０を吊り下げる吊り金具２０を取付けるための取付面１２ｃ、１２ｄを備え、下部には高圧ガス接続管３１と低圧ガス接続管３２を配置するための管配置面１２ａを備えている。この取付面１２ｃ、１２ｄと管配置面１２ａとは面一関係になっている。取付面１２ｃ、１２ｄと管配置面１２ａの間には、複数の電磁コイル６０、６１、６２、６３、６４、６５を配置するために取付面１２ｃ、１２ｄと管配置面１２ａよりも凹ませた電磁コイル配置面１２ｂを備えている。本体ケース１０の右側面１２には、電磁コイル配置面１２ｂに配置された電磁コイル６０、６１、６２、６３、６４、６５を覆い隠すように取付けられる右側板１３を備えている。この右側板１３の上端両側には切欠部１３ａ、１３ｂが形成されているので、右側板１３を本体ケース１０の右側面１２に取付けたとき、取付面１２ｃ、１２ｄが露出するようになっている。このため、本体ケース１０の右側面１２に取付けられている吊り金具２０は、右側板１３を本体ケース１０の右側面１２に取付けたとき、右側板１３と干渉しないようになっている。
【００３８】
本体ケース１０の左側面１１は本体ケース１０の内部に発泡断熱材が充填されているので、左側面１１はそこにかかる荷重によって変形し難くなっており、本体ケース１０を吊り下げて支持するための強度が十分である。しかしながら、本体ケース１０の右側面１２に備えられた取付面１２ｃ、１２ｄの背面側は電磁コイル６０、６１、６２、６３、６４、６５が配置されているため、発泡断熱材が充填できないので、取付面１２ｃ、１２ｄはそこにかかる荷重によって変形し易くなっており、本体ケース１０を吊り下げて支持するための強度が不十分である。本実施例では、本体ケース１０の上面１６は前面１４と背面１５にそれぞれ連続形成され、取付面１２ｃ、１２ｄは本体ケース１０の上面１６にそれぞれ連続形成されている。また、取付面１２ｃ、１２ｄには本体ケース１０の前面１４と背面１５の側にフランジ部１２ｅがそれぞれ連続形成されている。このフランジ部１２ｅは本体ケース１０の前面１４と背面１５の内面に重なり合い、ネジ１７により前面１４と背面１５に固定されている。この結果、取付面１２ｃは前面１４に接続され、取付面１２ｄは背面１５に接続されている。
【００３９】
したがって、上記の構造により、取付面１２ｃは前面１４および上面１６と一体となって３つの面で構成される角部を形成し、取付面１２ｄは背面１５および上面１６と一体となって３つの面で構成される角部を形成している。このため、取付面１２ｃにかかる荷重がその他の前面１４および上面１６に分散され、取付面１２ｃと前面１４と上面１６が互いに支え合うため、取付面１２ｃの支持強度を上げることができる。また、取付面１２ｄにかかる荷重についてもその他の２つの面に分散され、取付面１２ｄとその他の２つの面が互いに支え合うため、取付面１２ｄの支持強度を上げることができる。なお、本実施例では、取付面１２ｃ、１２ｄは本体ケース１０の上面１６にそれぞれ連続形成するようにしたが、取付面１２ｃは本体ケース１０の前面１５に、取付面１２ｄは本体ケース１０の背面１６にそれぞれ連続形成してもよい。
【００４０】
また、本体ケース１０の前面１４、背面１５および上面１６の電磁コイル６０、６１、６２、６３、６４、６５を覆う部分には、電磁コイル６０、６１、６２、６３、６４、６５の熱を放熱するための放熱孔１４ａ、１５ａ、１６ａ、１６ｂがそれぞれ形成されている。このように、本体ケース１０の電磁コイル６０、６１、６２、６３、６４、６５を覆う部分に放熱孔１４ａ、１５ａ、１６ａ、１６ｂがそれぞれ形成されているため、電磁コイル６０、６１、６２、６３、６４、６５から発生する熱を放熱孔１４ａ、１５ａ、１６ａ、１６ｂから本体ケース１０の外部に放熱することができる。
【００４１】
なお、本実施形態における切替ユニット１では、電磁コイル４０１、４１１、４２１、４３１、４４１は、高圧ガス接続管３１および低圧ガス接続管３２が本体ケース１０から導出される方向と平行に本体ケース１０の右側面１２（電磁コイル配置面１２ｂ）から突出させたシリンダ部４０２、４１２、４２２、４３２、４４２に取付けられるようにしたが、本発明はこれに限らない。例えば、電磁コイル４０１、４１１、４２１、４３１、４４１は、ガス接続管３０が本体ケース１０から導出される方向と平行に本体ケース１０の左側面１１から突出させたシリンダ部４０２、４１２、４２２、４３２、４４２に取付けられるようにしてもよい。この場合には、本体ケース１０の左側面１１を内側に凹ませた電磁コイル配置面からシリンダ部４０２、４１２、４２２、４３２、４４２を突出させる方がよい。
【００４２】
また、本実施形態における切替ユニット１では、１または複数の室外機と複数の室内機とが接続される３つの冷媒配管のうち、液管は切替ユニット１から離して、独自に室外機と室内機との間に室外機毎に接続されるようにしたが、本発明はこれに限らない。例えば、本体ケース１０の内部に液接続管も収容するようにしてもよい。この場合には、本体ケース１０の室内機側の左側面１１から、室内機から延びるガス管に接続されるガス接続管３０と、室内機から延びる液管に接続される液接続管の一端とを導出させる。また、本体ケース１０の室外機側の右側面１２から、室外機から延びる高圧ガス管および低圧ガス管に接続される高圧ガス接続管３１および低圧ガス接続管３２と、室外機から延びる液管に接続される液接続管の他端とを導出させる。
【００４３】
さらに、本実施形態では冷媒回路ユニットとして、冷暖房フリーの運転が行える多室形空気調和装置に用いられる切替ユニット１を例に挙げて説明したが、本発明はこれに限らず、多室形空気調和装置に用いられ、室外機に接続される冷媒配管を各室内機に接続される複数の冷媒配管に分岐する分岐ユニットなど、複数の冷媒配管と複数の電磁弁を組み合わせて構成した冷媒回路ユニットにおいて適用可能である。
【符号の説明】
【００４４】
１  切替ユニット
１０  本体ケース
１１  左側面
１２  右側面
１２ａ  管配置面
１２ｂ  電磁コイル配置面
１２ｃ、１２ｄ  取付面
１２ｅ  フランジ部
１３  右側板
１３ａ、１３ｂ  切欠部
１４  前面
１４ａ  放熱孔
１５  背面
１５ａ  放熱孔
１６  上面
１６ａ、１６ｂ  放熱孔
１７  ネジ
２０  吊り金具（壁掛け金具）
３０  ガス接続管（冷媒配管の一部）
３１  高圧ガス接続管（冷媒配管の一部）
３２  低圧ガス接続管（冷媒配管の一部）
４０〜４４  開閉弁
４００、４１０、４２０、４３０、４４０  弁本体
４０１、４１１、４２１、４３１、４４１  電磁コイル
４２１ａ、４４１ａ  リード線
４０２、４１２、４２２、４３２、４４２  シリンダ部
４０３、４１３、４２３、４３３、４４３  一方の接続部
４０４、４１４、４２４、４３４、４４４  他方の接続部
４５、４６  キャピラリーチューブ
５０  電装品箱
５１  電装品箱取付板
５２  電装品箱カバー
６０、６１、６２、６３、６４、６５  電磁コイル
Ａ  本体ケース１０の左右方向の寸法
Ｂ  本体ケース１０の上下方向の寸法
Ｓ  スラブ
Ｖ１  上側開閉弁群
Ｖ２  下側開閉弁群
【図１】
2013117366.tif 000003
【図２】
2013117366.tif 000004
【図３】
2013117366.tif 000005
【図４】
2013117366.tif 000006
【図５】
2013117366.tif 000007
【図６】
2013117366.tif 000008
【図７】
2013117366.tif 000009
【図８】
2013117366.tif 000010
【図９】
2013117366.tif 000011